(57)【要約】【課題】  昼間点灯用ランプを低廉な価格で提供でき、且つその取り付けが容易にしながらも充分な効果を確保することできる車両灯火器用の補助発光部材を提供することを技術課題とした。【解決手段】  本発明の車両灯火器用の補助発光部材１は、車両Ｍに既設された灯火器のランプユニット２内に補助発光機能を具備させるための部材であって、この部材は、前記ランプユニット２に組み込まれるランプバルブ３における口金部３１に対して後付け可能に取り付ける支持基盤１０と、この支持基盤１０に対して取り付けられる発光素子１１と、この発光素子１１への給電コード１４とを具えていることを特徴として成るものである。【選択図】図１
2006092922.tif 000002
【特許請求の範囲】
【請求項１】
車両に既設された灯火器のランプユニット内に補助発光機能を具備させるための部材であって、この部材は、前記ランプユニットに組み込まれるランプバルブにおける口金部に対して後付け可能に取り付ける支持基盤と、この支持基盤に対して、取り付けられる発光素子と、この発光素子への給電コードとを具えていることを特徴とする車両灯火器用の補助発光部材。
【請求項２】
前記支持基盤は、ランプバルブの口金部のフランジ部に対して取付けるものであることを特徴とする前記請求項１記載の車両灯火器用の補助発光部材。
【請求項３】
前記支持基盤の形状は、平面視でほぼ環状に形成されていることを特徴とする前記請求項１または２記載の車両灯火器用の補助発光部材。
【請求項４】
前記支持基盤に対する発光素子の取り付けは、発光素子の長手方向を支持基盤の面に沿わせて固定することを特徴とする前記請求項１、２または３記載の車両灯火器用の補助発光部材。
【請求項５】
前記発光素子は、その発色の異なる発光素子を取り付け、その発色を変化させることができることを特徴とする前記請求項１、２、３または４記載の車両灯火器用の補助発光部材。
【請求項６】
前記発光素子へ接続される給電コードは、ランプバルブの口金部に設けられた透孔部を通らされて接続されることを特徴とする前記請求項１、２、３、４または５記載の車両灯火器用の補助発光部材。
【請求項７】
前記車両灯火器用の補助発光部材は、給電回路内に定電流ダイオードを組み込むことにより複数の種類の電源電圧に対応することができるようにしたことを特徴とした前記請求項１、２、３、４、５または６記載の車両灯火器用の補助発光部材。
【発明の詳細な説明】
【技術分野】
【０００１】
本発明は、歩行者や他の車両運転者に対して車両の存在を認知させるための車両用の補助発光部材に関するものであって、特に既存のヘッドランプ等のランプユニット内に装着できるようにした新規な車両灯火器用の補助発光部材に係るものである。
【背景技術】
【０００２】
ここ数年、特に業務用車両は、交通安全対策の一環として日中であってもヘッドランプを灯火して走行することが推奨されて実行されている。
しかしこのような頻繁なヘッドランプの使用は、本来想定されていたヘッドランプの目的と異なるため、バルブ寿命の短縮や、バッテリの消耗を早めてしまうことや、更にその光が過剰に強く歩行者に対して不快感を与えてしまうなどの問題を生じさせていた。
このような背景から、周囲に対し車両の存在を認識させるための目的に適した専用の昼間点灯用ランプが開発され実用化に至っている（特許文献１）。
しかしながら一方でこの昼間点灯用ランプは、予め車両に装備された灯火器とは別に設ける独立したランプユニットとして市場に提供されるものであって、取り付ける場所を確保することが難しい場合もある。すなわち、予め取り付けられている灯火器類の取り付け位置は、その照明効率等を考慮し最適な位置に設計配置することができるが、後から取り付けようとする補助的な灯火器の取り付け位置は、車体のデザインや構造的な障害などにより、必ずしも照明効率が良いと言えない位置に付けざるを得ない場合も少なくない。
また独立した別体の昼間点灯用ランプあることから、ランプ部自体もそれ相応の価格とならざるを得ない。
更にこの昼間点灯用ランプを取り付けるために用いられる取付ステーや配線コードも必要となり、更に各車のデザインや構造の違いから車種に応じて幾分か加工が必要となることも少なくなく、これらの加工費用も含めて更に取り付け費用は高額になり、その普及の制約となっていた。
【特許文献１】特開２００４−５１０８０公報
【発明の開示】
【発明が解決しようとする課題】
【０００３】
本発明は、このような背景を認識してなされたものであって、昼間点灯用ランプをユーザーの費用負担を抑えながら提供でき、且つその取り付けを容易としながらも充分な効果を確保することできる車両灯火器用の補助発光部材を開発することを技術課題とした。
【課題を解決するための手段】
【０００４】
請求項１記載の車両灯火器用の補助発光部材は、車両に既設された灯火器のランプユニット内に補助発光機能を具備させるための部材であって、この部材は、前記ランプユニットに組み込まれるランプバルブにおける口金部に対して後付け可能に取り付ける支持基盤と、この支持基盤に対して取り付けられる発光素子と、この発光素子への給電コードとを具えていることを特徴として成るものである。
【０００５】
請求項２記載の車両灯火器用の補助発光部材は、前記請求項記載の要件に加えて前記支持基盤に関しては、ランプバルブの口金部のフランジ部に対して取り付けるものであることを特徴として成るものである。
【０００６】
請求項３記載の車両灯火器用の補助発光部材は、前記請求項記載の要件に加えて前記支持基盤の形状については、平面視でほぼ環状に形成されていることを特徴として成るものである。
【０００７】
請求項４記載の車両灯火器用の補助発光部材は、前記請求項記載の要件に加えて前記支持基盤に対する発光素子の取り付けに関しては、発光素子の長手方向を支持基盤の面に沿わせて固定することを特徴として成るものである。
【０００８】
請求項５記載の車両灯火器用の補助発光部材は、前記請求項記載の要件に加えて前記発光素子については、その発色の異なる発光素子を取り付け、その発色を変化させることができることを特徴として成るものである。
【０００９】
請求項６記載の車両灯火器用の補助発光部材は、前記請求項記載の要件に加えて前記発光素子へ接続される給電コードに関しては、ランプバルブの口金部に設けられた透孔部を通らされて接続されることを特徴として成るものである。
【００１０】
請求項７記載の車両灯火器用の補助発光部材は、前記請求項記載の要件に加えて給電回路内に定電流ダイオードを組み込むことにより複数の種類の電源電圧に対応することができるようにしたことを特徴として成るものである。
【発明の効果】
【００１１】
請求項１記載の発明によれば、既存のヘッドランプ内において、ランプバルブの近傍に車両灯火器用の補助発光部材が設けられるものであるから、既存のヘッドランプの位置で発光し、且つ発光に当たってはリフレクタを効率的に用いることができ、充分な発光性能を得ることができる。
【００１２】
請求項２記載の発明によれば、補助発光部材をランプバルブに対し嵌め込むようにして支持基盤をフランジ部に固定することにより、簡便でありながら確実に取り付けることができる。
【００１３】
請求項３記載の発明によれば、補助発光部材をランプバルブに対し嵌め込むようにして容易に取り付けることができ、更に支持基盤とリブ状部との当接する面積を多くとることができるために確実に取り付けることができる。
【００１４】
請求項４記載の発明によれば、発光素子の長手方向を支持基盤の面に沿わせて発光素子を固定し配置することにより、ランプボディのリフレクタに対し反射した発光素子の光が支持基盤上面のリフレクタに反射し更に拡散されるため、光が拡散し前方の広い範囲から視認できる点で優れている。
【００１５】
請求項５記載の発明によれば、発色の異なる複数の発光素子を組み合わせて配置させることにより、周囲の環境に応じて効率的な発光作用を可能とし、より車両の存在を認識しやすくすることが可能である。
【００１６】
請求項６記載の発明によれば、配線の取り回しを短くすることができるとともに、ランプバルブと支持基盤との方向についても所定の向きになるように案内することができ、その取り付け作業を容易なものとすることができる。また、支持基盤に対してより安定して固定される。
【００１７】
請求項７記載の発明によれば、共通の設計で異なる電源電圧の車両について使用することができるので、結果として低廉な価格で市場に提供することができる。
【発明を実施するための最良の形態】
【００１８】
本発明を実施するための最良の形態は、以下述べる実施例をその一つとするものであるとともに、この技術思想に基づく種々の改良した実施例も含まれるものである。
【実施例】
【００１９】
以下本発明の車両灯火器用の補助発光部材について、図面を参照しながら説明する。
図中符号１で示すものが本発明の補助発光部材であり、このものは大別すると支持基盤１０と、この支持基盤１０の上面に具えられた発光素子１１と、これに併設された安定装置１２と、これら同士をつなぐ平面状の給電片１３と、この給電片１３と外部配線とを結ぶ給電コード１４とを具える。
このものは、後述する自動車等の車両Ｍに既設されたヘッドランプ等のランプバルブ３に直接取り付けられた状態のままランプユニット２に組み込まれるものである。
【００２０】
本発明の補助発光部材１について説明するに先立ち、このものが装着されて組み込まれるランプユニット２について概説する。
このものは、自動車等の車両Ｍ前面に具えられた灯火器であって、ガラス等のレンズ２０と、実質的にランプバルブ３を支持するリフレクタ２１と、ランプバルブ３とを組み合わせて形成されるものである。
このランプユニット２におけるリフレクタ２１の集束部には、ランプバルブ３を受け入れるためのソケット孔２２が設けられている。このソケット孔２２にランプバルブ３が差し入れられた状態で、取付クリップ２３によりランプユニット２に保持され、更にランプバルブ３の後方に張り出した部位にキャップ状のゴム製の防水カバー２４が被せられた上で、抑止リング２５により確実にランプバルブ３がランプユニット２の内側に固定される。
【００２１】
次にこのランプバルブ３について更に詳しく説明する。このものは、その規格によってその形状は異なるものの一般的に図１に示す形状を有するものであって、発光作用をするバルブ部３０と、これと一体の口金部３１とに大別される。このうち、口金部３１は、胴部３２からつば状に張り出すようなフランジ部３３を有する。このフランジ部３３は、一例として軸方向に見て段差を有するように構成されているものであって、図１に示すように外周部寄りの縁面を、位置決めフランジ面３４とし、その内周側をフランジ基面３５とする。
この位置決めフランジ面３４には、前述したランプユニット２におけるソケット孔２２にランプバルブ３を差し込む際にその位置を定めるための位置決め片３６が一例として三カ所放射状に突出するように連接されている。また図１のように平面視で、フランジ基面３５は、その弦方向にその一部が切り取られた形状をしており、この切り取られた部分に相当する位置決めフランジ面３４には、角形の透孔部３７が設けられている。
なお、バルブ部３０の内部には、発光機能を担うフィラメントユニット３８が組み込まれており、更にこのフィラメントユニット３８から生じる光と熱とを遮断し周囲に部材を保護するための遮光遮熱板３８Ａが、設けられている。
【００２２】
次に前述した取り付け対象たるランプバルブ３を考慮して構成された本発明の補助発光部材１を構成する各要素について説明する。
まず図中符号１０は、本発明の補助発光部材１の支持基盤である。このものは、一例としてランプバルブ３のフランジ部３３からはみ出ることがない寸法のリング形状をしており、耐熱性・耐燃性・耐煙性に優れた樹脂や金属を素材として用いられているものである。
この支持基盤１０の上側の表面は、複数の発光素子１１である発光ダイオードと、これらの発光性能を安定させるための安定装置１２とが取り付けられており、更にこれらの各部品をつなぐ給電片１３が具えられている。なおその回路構成は、図１（ｄ）に示すとおりである。
また、この裏面にはランプバルブ３のフランジ部３３に対して固着させるための固定部材１５の一例である両面粘着シートが貼り付けられている。もちろんこの粘着シートは、耐熱性の優れたものを用いることが好ましい。また当然に、粘着シートを固定部材１５として適用した場合には、装着前の粘着面の保護のために剥離紙１５ａが具えられている。
なお、この支持基盤１０の上面の部分がランプユニット２内のリフレクタ２１に反射し、ランプユニット２全体がその色に着色されたように視認されるため、この上面は視認性の優れた色に着色することが好ましい。
【００２３】
次に、この発光素子１１について説明する。このものは、一例として高輝度の発光ダイオード（ＬＥＤ）を用いる。この発光素子１１は、ランプバルブ３からの発熱を考慮し耐熱性の優れた発光素子１１を用いるか、あるいはランプバルブ３の遮光遮熱板３８Ａによってランプバルブ３の熱を直接受けることがない部分に取り付けることが好ましい。勿論図５（ａ）や図６（ｃ）に示すように発光素子１１を熱から守るために遮熱カバー１８を、バルブ部３０と発光素子１１との間に配置されるように支持基盤１０に対し設けることも好ましい。
この発光素子１１の発光方向に関する取り付け態様は、種々とり得るものであり、全ての発光素子１１を支持基盤１０の面に対し直交するよう指向させたもの（図３（ａ））や、発光素子１１の一部を直交させ、一例としてチップ発光素子１１ａを支持基盤１０の面に沿わせたもの（図３（ｂ））や、全ての発光素子１１を支持基盤１０の面に沿わせたもの（図３（ｃ））とすることができる。
【００２４】
次に安定装置１２は、一例として定電流ダイオードを用いたものである。これにより補助発光部材１は、電源電圧が異なる車両Ｍ（一般的な１２Ｖ車や２４Ｖ車等）であっても、兼用として取り付けることができる。
更に補助発光部材１の発光中に供給電圧の変化が生じた場合でも、常に一定の電流を発光素子１１に供給することにより、発光性能を安定させることができる。
なお、発光性能を安定させる作用を奏するものであれば、他の電子要素やそれらの組み合わせたものを用いることは当然に適用することができ、更にコストを削減するために安定装置１２を取り付けない構成とすることも可能である。
【００２５】
給電片１３は、一例としてリング状の支持基盤表面の上にほぼＣの字状に分断配列されたものであり、前記各発光素子１１と安定装置１２とを直列に接続している。そして、給電片１３の両端部には外部の配線に接続するための給電コード１４が取り付けられている。この他にも、支持基盤１０の内に挟み込まれるように給電片１３を具えつけることも可能である。
また給電コード１４は、図に示すようにフランジ部３３の透孔部３７を通すようにして取り付けられるため、これを考慮した引き出し位置としている。
なお本実施例よりも更に発光素子１１の個数を増やすために複数の系統に別けた回路を並列に設けるなどの手法を用いることはもとより差し支えない。
【００２６】
本発明は以上述べた具体的な構成を有するものであり、次のようにして補助発光部材１を使用する。
まず、使用するための準備段階として補助発光部材１を車両Ｍのランプユニット２に取り付ける作業を行う必要があり、以下この取り付け作業について説明する。
【００２７】
〔取り付け作業〕
まず、補助発光部材１を直接取り付けるランプバルブ３を、取り付ける車両Ｍのヘッドランプなどのランプユニット２から取り外す。次いでランプバルブ３のフランジ部３３に、補助発光部材１を固定する。本実施例に開示した固定する手法は、支持基盤１０の下面に予め貼り付けられた固定部材１５の粘着シートを用いて、フランジ部３３のフランジ基面３５に対して直接貼付するものであって、その剥離紙１５ａを剥がして粘着面を露出させて貼り付ける。また、補助発光部材１とランプバルブ３との円周方向の位置関係は、給電コード１４をフランジ部３３に設けられた透孔部３７に通すことによりほぼ所定の方向に収まる。
このように、ランプバルブ３に補助発光部材１を取り付けた後、再びランプバルブ３をランプユニット２内に挿入し、防水カバー２４を被せて抑止リング２５で固定する。その後、ランプバルブ３の端部に給電カプラ２６を押し付けて装着し配線を行う。
【００２８】
〔配線作業〕
一方ランプバルブ３の透孔部３７から引き出された給電コード１４は、電源の供給を受けるために既存の配線に接続される。この接続方法は、図に示すように補助発光部材１の作用態様によって異なるものである。
すなわち既存の灯火器（例えば車幅灯Ｌ）に連動して発光させる場合には、図２（ｃ）に示すように連動させたい灯火器の配線に対して、一例としてワンタッチの配線コネクタＣを用いて給電コード１４を取り付ける。
また常時発光させる場合には、図２（ｄ）に示すように運転席のメインキーＫを差し込むイグニッションスイッチＳ２の配線に対して、給電コード１４を取り付ける。
この他にも、手動で補助発光部材１を発光させたい場合には、別途点灯用の専用スイッチを設けることも可能である。
【００２９】
〔使用状態〕
使用にあたっては適宜スイッチ（既設ランプ点灯スイッチＳ１、イグニッションスイッチＳ２、専用スイッチ）の操作により発光素子１１に給電がされ、このものが発光する。このとき、発光素子１１はランプバルブ３の直近の周囲にあるから、本来ランプバルブ３のために具えられたリフレクタ２１の反射拡散効果を充分に利用でき最適位置において充分な光量の照射がされる。
【００３０】
以上述べた実施例は本発明の最良の実施例であるが、更に本発明の技術思想の下に次のような改変が考慮し得る。
【００３１】
〔発光の態様に変化をもたせる実施例〕
本実施例は、単色の高輝度発光素子１１を一種類のみ用いているが、図４に示すように、これ以外に異色の高輝度の発光素子１１を数種類用い、それぞれについて制御装置４０により制御することにより、全体としての発色特性を任意に変化させることができる。もちろん、いわゆるマルチカラー高輝度発光ダイオードのユニットを用いることも可能である。
このように、色特性を任意に変更できることにより周囲の明るさ等に応じて最も視認しやすい色に調整することができる。
また図４に示すように、この発色調整を行う操作は、室内に取り付けられた補助発光部材１と同様の発色をするモニタリング用発光素子４２を見ながら設けられた発色調整スイッチ４３を操作し、制御装置４０により適宜発色調整を行えるようにしてもよい。更に予め周囲の環境に応じて発色パターンを記憶させておき、光センサ４１を設けて周囲の環境にあわせて自動で調整すること方法も可能である。
【００３２】
〔発光量について改良した実施例〕
本実施例の発光量は、発光している場合と消えている場合との二値的に行うことしかできないが、別途可変抵抗等を配線上に追加することや、複数の独立回路に分割するなどして制御装置４０により光量を自在に調整することが可能である。一例として、車両Ｍの一部に周囲の光を感知する光センサ４１を設け、それに応じて発光の強弱を調整することも可能である。
また本実施例において発光素子１１は、ランプバルブ３の発熱量による破損などの危険からバルブ部３０の遮光遮熱板３８Ａ側に配置している。そのため、取り付けることのできる発光素子１１の数量が限定される場合もあるが、このような制約を排除するための手法も考慮し得る。すなわち、更に発光量を増大させるためには、図６（ｃ）に示すように、遮光遮熱板３８Ａがない位置であって発光素子１１を取り付けようとする位置のバルブ部３０寄りに、熱による破損等を防ぐための半球状の遮熱カバー１８を配設して、発光素子１１を取り付ける手法を用いることが可能である。もちろん、この遮熱カバー１８の表面に凹凸加工や、反射を促進するメッキ処理などを施して、発光素子１１の光を拡散させるようにすることも、もとより差し支えない。
【００３３】
〔支持基盤の他の実施例〕
本実施例のようなリング状の支持基盤１０以外にも、例えば平面視でＣの字型のものや、半分の円弧状のものを用いることが可能である。
例えば、図５（ａ）に示すように異なる規格のバルブに取り付けるための改変として、長形状の支持基盤１０をランプバルブ３の軸方向に沿わせるようにし、クリップなどの固定部材１５でランプバルブの口金部３１に抱きつけるようにして取り付ける方法なども可能である。また、図５（ｂ）に示すように、半円形の支持基盤１０をクリップなどの固定部材１５を用いて固定する形態のものとすることも可能である。
更に汎用性を高くするために、図５（ｃ）に示すように、ほぼ半円状の円弧状の支持基盤１０同士を蝶番１７により組み合わせ取付バルブ（口金）径の大小に対応できる調整機能付き支持基盤１０とすることが可能である。
【００３４】
この他にも取り付け作業を、更に容易にするための改良が考えられる。
例えばランプバルブ３の口金部３１の形状規格とほぼ同一の形状に構成し、且つ正しい位置に即座に決められるよう凹凸部を設けておくことも好ましい。
更にまた支持基盤１０の上面は、発光素子１１の発光性能をより効果的に発揮させるために反射率が向上するように、その表面に図６（ａ）（ｂ）とに示すような凹凸状のリフレクタ１６を設け、反射を更に促すようにすることも差し支えない。この場合更に図６（ａ）Ａ−Ａ′線図にその一例を示すように、発光素子１１の上方にリフレクタ１９を設けることも好ましい。このリフレクタ１９は、一例として発光素子１１の上方に設けられものであって、このものは、前記支持基盤１０表面に施されたリフレクタ１６に効率良く光を導くための作用を担う。
【図面の簡単な説明】
【００３５】
【図１】本発明の補助発光部材を示すものであって、（ａ）はその使用状態を示す斜視図であり、（ｂ）はその分解状態（取り付け前の状態）を示す斜視図であり、（ｃ）は取り付け後の状態を示す斜視図であり、（ｄ）はその配線を示した図である。
【図２】本発明の補助発光部材を示すものであって、（ａ）はその取り付けたランプユニットをしめす正面図であり、（ｂ）はＡ−Ａ線断面図であり、（ｃ）と（ｄ）は、２種の配線態様を示した説明図である。
【図３】本発明の補助発光部材を示すものであって、（ａ）（ｂ）（ｃ）はそれぞれ発光素子の取り付け態様を示す平面図及び側面図である。
【図４】本発明の補助発光部材を示すものであって、発光の態様に変化を持たせた他の実施例を示す模式図である。
【図５】本発明の補助発光部材を示すものであって、（ａ）（ｂ）（ｃ）はそれぞれ支持基盤の構成を異ならせた他の実施例を示す斜視図及び平面図である。
【図６】本発明の補助発光部材を示すものであって、（ａ）と（ｂ）はともに支持基盤にリフレクタを設けた実施例を示す斜視図及びＡ−Ａ′線、Ｂ−Ｂ′線拡大断面図であり、（ｃ）は遮熱カバーを設けた実施例を示す斜視図及びＣ−Ｃ′線拡大断面図である。
【符号の説明】
【００３６】
１      補助発光部材
１０    支持基盤
１１    発光素子
１１ａ  チップ発光素子
１２    安定装置
１３    給電片
１４    給電コード
１５    固定部材
１５ａ  剥離紙
１６    リフレクタ
１７    蝶番
１８    遮熱カバー
１９    リフレクタ
２      ランプユニット
２０    レンズ
２１    リフレクタ
２２    ソケット孔
２３    取付クリップ
２４    防水カバー
２５    抑止リング
２６    給電カプラ
３      ランプバルブ
３０    バルブ部
３１    口金部
３２    胴部
３３    フランジ部
３４    位置決めフランジ面
３５    フランジ基面
３６    位置決め片
３７    透孔部
３８    フィラメントユニット
３８Ａ  遮光遮熱板
４０    制御装置
４１    光センサ
４２    モニタリング用発光素子
４３    発色調整スイッチ
Ｃ      配線コネクタ
Ｋ      メインキー
Ｌ      車幅灯
Ｍ      車両
Ｓ１    既設ランプ点灯スイッチ
Ｓ２    イグニッションスイッチ
【図１】
2006092922.tif 000003
【図２】
2006092922.tif 000004
【図３】
2006092922.tif 000005
【図４】
2006092922.tif 000006
【図５】
2006092922.tif 000007
【図６】
2006092922.tif 000008